(57)【要約】      （修正有）【課題】計測データの分析に関わる負担を増加させることなく、効率よく計測データを分析することが可能な計測データ管理装置を提供する。【解決手段】計測データ管理装置１０は、計測データにおける少なくとも１つのアラーム条件と、収集された計測データを記憶する記憶部１６と、計測データがアラーム条件を満たしたことに応じて、収集された計測データの少なくとも一部を用いて計測データレポートを作成する計測データレポート作成部１３と、計測データレポートを提供する計測データレポート提供部１４とを備える。アラーム条件は、計測データの第１の計測期間における第１の移動平均線と計測データの第１の計測期間よりも長い第２の計測期間における第２の移動平均線が交差するか又は計測データと複数の所定の計測期間における計測データの平均線との差が所定の閾値を超えるかの少なくともいずれかを含むことを特徴とする。【選択図】図３
2020008922.tif 000002
【特許請求の範囲】
【請求項１】
ユーザからの要求に応じて収集された計測データを管理する計測データ管理装置であって、
前記計測データにおける少なくとも１つのアラーム条件と、前記収集された計測データを記憶する記憶部と、
前記計測データが前記アラーム条件を満たしたことに応じて、前記収集された計測データの少なくとも一部を用いて計測データレポートを作成する計測データレポート作成部と、
前記計測データレポートを提供する計測データレポート提供部と
を備え、
前記アラーム条件は、
前記計測データの第１の計測期間における第１の移動平均線と前記計測データの前記第１の計測期間よりも長い第２の計測期間における第２の移動平均線が交差したこと、
前記計測データと複数の所定の計測期間における前記計測データの平均線との差が所定の閾値を超えたこと
の少なくともいずれかを含むこと
を特徴とする計測データ管理装置。
【請求項２】
ユーザからの要求に応じて収集された計測データを管理する計測データ管理方法であって、
前記計測データにおける少なくとも１つのアラーム条件と、前記収集された計測データを記憶する記憶部を備えるコンピュータが、
前記計測データが前記アラーム条件を満たしたことに応じて、前記収集された計測データの少なくとも一部を用いて計測データレポートを作成するステップと、
前記計測データレポートを提供するステップと、
を実施し、
前記アラーム条件は、
前記計測データの第１の計測期間における第１の移動平均線と前記計測データの前記第１の計測期間よりも長い第２の計測期間における第２の移動平均線が交差したこと、
前記計測データと所定の計測期間における複数の前記計測データの平均線との差が所定の閾値を超えたこと
の少なくともいずれかを含むこと
を特徴とする計測データ管理方法。
【請求項３】
ユーザからの要求に応じて収集された計測データを管理する計測データ管理プログラムであって、
前記計測データにおける少なくとも１つのアラーム条件と、前記収集された計測データを記憶する記憶部を備えるコンピュータに、
前記計測データが前記アラーム条件を満たしたことに応じて、前記収集された計測データの少なくとも一部を用いて計測データレポートを作成するステップと、
前記計測データレポートを提供するステップと、
を実施させ、
前記アラーム条件は、
前記計測データの第１の計測期間における第１の移動平均線と前記計測データの前記第１の計測期間よりも長い第２の計測期間における第２の移動平均線が交差したこと、
前記計測データと所定の計測期間における複数の前記計測データの平均線との差が所定の閾値を超えたこと
の少なくともいずれかを含むこと
を特徴とする計測データ管理プログラム。
【発明の詳細な説明】
【技術分野】
【０００１】
本願発明は、遠隔に設置された計測データ収集装置において収集された計測データを管理する計測データ管理装置に関する。
【背景技術】
【０００２】
遠方にある商品倉庫の状態や製造工場の製造装置の状態をネットワーク経由で監視したり、遠方にある実験室における実験データをネットワーク経由で収集することにより、遠隔地にある装置等の状態を効率よくかつ低コストで管理することができる遠隔監視システムが提案されている。
【０００３】
遠隔監視システムでは、商品倉庫の状態や製造工場の製造装置の状態等を示す温度や電圧等の計測データをデータロガーと呼ばれる計測データ収集装置によって収集し、収集した計測データをネットワークを介して接続されたサーバに蓄積し管理するものである。ユーザは、サーバに蓄積されたデータの中から必要な計測データをダウンロードすることにより、商品倉庫の状態や製造工場の製造装置の状態等を監視することができる。
【０００４】
ここで、遠隔監視システムでは、遠隔にある商品倉庫の状態や製造工場の製造装置に異常が発生した場合に対応するため、異常の発生をサーバやメンテナンス担当者に通知することが行われている。特許文献１では、計測対象物に異常が発生するとセンサのセンシングデータがメールサーバに送信され、送信されたセンシングデータを用いて作成されたグラフをＷＥＢサーバにアップすることにより、メンテナンス担当者が異常発生の状況を確認するシステムが提案されている。
【先行技術文献】
【特許文献】
【０００５】
【特許文献１】特開２００５−２１５７３１号公報
【発明の概要】
【発明が解決しようとする課題】
【０００６】
しかしながら、特許文献１のシステムでは、センシングデータを用いて作成したグラフにより異常発生の状況を確認することができるが、異常の発生を検出する条件が、センシングデータが所定の閾値を下回ったこと等の単純な異常発生の条件しか想定されていないので、異常状態の詳細なデータ分析はメンテナンス担当者が行う必要があり、データ分析に関わる負担が増大するという問題がある。
【０００７】
本願発明は、以上のような課題を解決するためになされたものであり、計測データの分析に関わる負担を増加させることなく、効率よく計測データを分析することが可能な計測データ管理装置を提供することを目的とする。
【課題を解決するための手段】
【０００８】
上記課題を解決するために、本願発明の計測データ管理装置は、ユーザからの要求に応じて収集された計測データを管理する計測データ管理装置であって、前記計測データにおける少なくとも１つのアラーム条件と、前記収集された計測データを記憶する記憶部と、前記計測データが前記アラーム条件を満たしたことに応じて、前記収集された計測データの少なくとも一部を用いて計測データレポートを作成する計測データレポート作成部と、前記計測データレポートを提供する計測データレポート提供部とを備え、前記アラーム条件は、前記計測データの第１の計測期間における第１の移動平均線と前記計測データの前記第１の計測期間よりも長い第２の計測期間における第２の移動平均線が交差したこと、前記計測データと複数の所定の計測期間における前記計測データの平均線との差が所定の閾値を超えたことの少なくともいずれかを含むことを特徴とする。
【０００９】
上記課題を解決するために、本願発明の計測データ管理方法は、ユーザからの要求に応じて収集された計測データを管理する計測データ管理方法であって、前記計測データにおける少なくとも１つのアラーム条件と、前記収集された計測データを記憶する記憶部を備えるコンピュータが、前記計測データが前記アラーム条件を満たしたことに応じて、前記収集された計測データの少なくとも一部を用いて計測データレポートを作成するステップと、前記計測データレポートを提供するステップと、を実施し、前記アラーム条件は、前記計測データの第１の計測期間における第１の移動平均線と前記計測データの前記第１の計測期間よりも長い第２の計測期間における第２の移動平均線が交差したこと、前記計測データと所定の計測期間における複数の前記計測データの平均線との差が所定の閾値を超えたことの少なくともいずれかを含むことを特徴とする。
【００１０】
上記課題を解決するために、本願発明の計測データ管理プログラムは、ユーザからの要求に応じて収集された計測データを管理する計測データ管理プログラムであって、前記計測データにおける少なくとも１つのアラーム条件と、前記収集された計測データを記憶する記憶部を備えるコンピュータに、前記計測データが前記アラーム条件を満たしたことに応じて、前記収集された計測データの少なくとも一部を用いて計測データレポートを作成するステップと、前記計測データレポートを提供するステップと、を実施させ、前記アラーム条件は、前記計測データの第１の計測期間における第１の移動平均線と前記計測データの前記第１の計測期間よりも長い第２の計測期間における第２の移動平均線が交差したこと、前記計測データと所定の計測期間における複数の前記計測データの平均線との差が所定の閾値を超えたことの少なくともいずれかを含むことを特徴とする。
【発明の効果】
【００１１】
本願発明によれば、計測データの分析に関わる負担を削減しながら、効率よく計測データを分析することが可能な計測データ管理装置を提供することが可能となる。
【図面の簡単な説明】
【００１２】
【図１】図１は、本願発明の実施の形態における計測データ管理装置が適用される遠隔監視システムの概要を示す図である。
【図２】図２は、本願発明の実施の形態における計測データ管理の概要を示す図である。
【図３】図３は、本願発明の実施の形態における計測データ管理装置の構成例を示す図である。
【図４】図４は、本願発明の実施の形態における収集端末情報、計測データ情報、アラーム条件情報の一例を示す図である。
【図５】図５は、本願発明の実施の形態におけるアラーム条件情報の一例を示す図である。
【図６】図６は、本願発明の実施の形態における計測データレポートの一例を示す図である。
【図７】図７は、本願発明の実施の形態における計測データ管理方法のシーケンスの一例を示す図である。
【図８】図８は、本願発明の実施の形態における計測データ管理方法のフローチャートの一例を示す図である。
【発明を実施するための形態】
【００１３】
以下、本願発明を実施するための形態について説明する。
【００１４】
＜遠隔監視システムの概要＞
図１は、本願発明の実施の形態における計測データ管理装置が適用される遠隔監視システムの概要を示す図である。遠隔監視システム１は、電気製品等の状態や倉庫の状態等を表す計測データを収集する計測データ収集端末３０、収集された計測データを管理し、アラーム発生時に計測データレポートを提供する計測データ管理装置１０、アラーム条件情報を設定し、提供された計測データレポートを表示するユーザ端末２０から構成されている。
【００１５】
計測データ収集端末３０は、遠隔に設置された電気製品や計測装置の状態や遠隔地にある倉庫、工場、実験場の状態を表す計測データを収集して計測データ管理装置１０に提供する。計測データ収集端末３０は、予め設定された計測データの収集の計測項目、計測間隔等の条件に従って、計測データを収集して計測データ管理装置１０に提供する。
【００１６】
計測データ管理装置１０は、計測データ収集端末３０から受信した計測データを保存するとともに、ユーザ端末２０に、アラームの発生時に作成した計測データレポートを提供する。
【００１７】
計測データのアラーム条件を設定するアラーム条件情報は、ユーザによって作成され、ユーザ端末２０から計測データ管理装置１０に提供される。このアラーム条件情報には、計測データの所定の閾値を超えたこと、計測データの所定の設定範囲外であること等の条件の他、過去のデータからみた現在のデータの傾向等の所望の分析内容に応じたアラーム条件を設定することができる。
【００１８】
ユーザは、様々なアラーム条件を設定し、アラーム発生時の計測データレポートを分析することで、計測データの分析に関わる負担を増加させることなく、効率よく計測データを分析することができる。
【００１９】
＜計測データ管理装置の概要＞
図２は、本願発明の実施の形態における計測データ管理の概要を示す図である。計測データ管理装置１０は、電気製品や倉庫の状態等を表す計測データを収集する計測データ収集端末３０、提供された計測データを表示するユーザ端末２０とネットワーク４０を介して接続されている。
【００２０】
計測データ収集端末３０の収集端末情報は、ユーザ端末２０において入力され、入力された収集端末情報は、計測データ管理装置１０に送信され登録される。収集端末情報には、計測データ収集端末を設置するユーザの施設情報、設置される収集端末の属性情報、収集する計測項目等の情報を含むことができる。尚、収集端末情報を、予めユーザ端末２０に保存しておき、必要に応じて計測データ管理装置１０に送信するようにしてもよい。
【００２１】
アラーム条件情報は、ユーザ端末２０において入力され、入力されたアラーム条件情報は、計測データ管理装置１０に送信され登録される。ユーザは、所望の分析内容に応じたアラーム条件を設定することができる。尚、アラーム条件情報を、予めユーザ端末２０に保存しておき、必要に応じて計測データ管理装置１０に送信するようにしてもよい。
【００２２】
計測データ収集端末３０は、遠隔に設置された電気製品や計測装置の状態や遠隔地にある倉庫、工場、実験場の状態を表す計測データを、予め設定された計測データの収集の計測項目、計測間隔等の条件に従って、収集して計測データ管理装置１０に提供する。計測データ情報には、計測時間情報、温度、湿度、電圧等の計測項目、および計測項目毎の計測データを含むことができる。なお、温度、湿度、電圧等の計測項目は例示であり、これらの情報の一部を含んでもよいし、他の情報を含むようにしてもよい。
【００２３】
計測データ管理装置１０は、ユーザ端末２０から受信した計測データ収集端末の収集端末情報およびアラーム条件情報、および計測データ収集端末３０から受信した計測データ情報を保存し管理する。
【００２４】
計測データ管理装置１０は、計測データ収集端末３０から受信した計測データを保存するとともに、アラーム条件に従って計測データがアラーム条件を満たすか否かの判定を行い、アラームを検出した場合には、計測データレポートを作成し、ユーザ端末２０に提供する。
【００２５】
計測データのアラーム条件を設定するアラーム条件情報は、ユーザによって作成され、計測データ管理装置に登録される。ユーザは、過去のデータからみた現在のデータの傾向等の分析等の所望の分析内容に応じたアラーム条件を設定することができる。
【００２６】
アラーム条件情報には、計測データの所定の閾値を超えたこと、計測データの所定の設定範囲外であること等の条件の他、計測データの短期移動平均線と長期移動平均線が交差したこと、計測データと過去の計測データの平均線との差が閾値を超えたこと等の過去のデータからみた現在のデータの傾向を分析するための条件が含まれている。
【００２７】
ユーザは、所望の分析内容に応じてアラーム条件を設定し、アラーム発生時の計測データレポートを分析することで、計測データの分析に関わる負担を増加させることなく、効率よく計測データを分析することができる。
【００２８】
＜計測データ管理装置の構成＞
図３は、本願発明の実施の形態における計測データ管理装置の構成例を示す図である。計測データ管理装置１０は、アラーム条件情報等の情報管理、計測データレポートの作成、計測データレポートの提供等を行う中央処理部１１、ユーザ端末２０、計測データ収集端末３０とネットワーク４０を介して通信を行うためのＩ／Ｆ部１５、およびユーザ情報等を記憶するための記憶部１６を備える。
【００２９】
中央処理部１１は、アラーム条件情報等の情報を管理する情報管理部１２、アラーム条件情報に基づいてアラームを検出し、計測データレポートの作成を行う計測データレポート作成部１３、および計測データレポートの提供を行う計測データレポート提供部１４として動作する。記憶部１６には、収集端末情報、計測データの情報、アラーム条件情報の他、作成した計測データレポートの情報が記憶されている。
【００３０】
情報管理部１２は、ユーザ端末２０から受信した計測データ収集端末の収集端末情報およびアラーム条件情報、および計測データ収集端末３０から受信した計測データ情報を保存し管理する。
【００３１】
計測データレポート作成部１３は、所定のアラーム条件を満たすか否かのアラーム条件の判定を行い、アラームを検出した場合には、計測データレポートを作成する。
【００３２】
計測データ提供部１４は、計測データ管理装置１３で作成された計測データレポートをユーザ端末２０に提供する。
【００３３】
なお、計測データ管理装置１０は、記憶部、Ｉ／Ｆ部および中央処理部を備えたコンピュータによって構成してもよく、中央処理部１１における処理をプログラムによって実施するように構成してもよい。その場合には、中央処理部１１に予めそのプログラムを搭載しておいてもよく、あるいはプログラムを記憶部１６に記憶しておき、中央処理部１１にダウンロードするように構成してもよい。
【００３４】
＜ユーザ情報、収集端末情報、計測データ情報＞
図４は、本願発明の実施の形態における収集端末情報、計測データ情報、アラーム条件情報の一例を示す図である。
【００３５】
計測データ収集端末の収集端末情報には、ユーザ毎に、計測データ収集端末を設置するユーザの施設情報、設置される収集端末の属性情報、収集する計測項目等の情報を含むことができる。これらの情報は、ユーザ端末から適宜設定することができる。
【００３６】
計測データ情報には、計測データ収集端末毎に、計測時間情報、温度、湿度、電圧等の計測項目、および計測項目毎の計測データを含むことができる。なお、計測項目は例示であり、これらの情報の一部を含んでもよいし、他の情報を含むようにしてもよい。
【００３７】
アラーム条件情報は、ユーザ毎に計測データ管理装置１０に登録されている。アラーム条件情報には、計測データの所定の閾値を超えたこと、計測データが所定の設定範囲外であること等の条件の他、計測データの短期移動平均線と長期移動平均線が交差したこと、計測データと過去の計測データの平均線との差が閾値を超えたこと等の過去のデータからみた現在のデータの傾向を分析するための条件が含まれている。アラーム条件は、温度、湿度、電圧等の計測項目毎に異なる条件を登録することができる。
【００３８】
＜アラーム条件情報＞
図５は、本願発明の実施の形態におけるアラーム条件情報の一例を示す図である。
【００３９】
図５のアラーム条件情報には、（ａ）計測データの所定の閾値を超えたこと、（ｂ）計測データが所定の設定範囲外であること、（ｃ）計測データの短期移動平均線と長期移動平均線が交差したこと、（ｄ）計測データと過去の計測データの平均線との差が閾値を超えたこと等の過去のデータからみた現在のデータの傾向を分析するための条件が含まれている。
【００４０】
アラーム条件（ａ）、（ｂ）では、計測データの値が設定した閾値を超えた場合や、計測データが所定の設定範囲外である場合にアラーム条件が満たされ、計測データレポートが作成される。計測データレポートは、例えば、アラーム発生点の前後の所定の期間における計測データをグラフ形式で表したものを含むことができる。
【００４１】
アラーム条件（ｃ）では、計測データの第１の計測期間における第１の移動平均線（短期移動平均線）と計測データの第１の計測期間よりも長い第２の計測期間における第２の移動平均線（長期移動平均線）を予め設定しておき、短期移動平均線と長期移動平均線が交差した場合にアラーム条件が満たされ、計測データレポートが作成される。短期的にみた計測データの平均値と、長期的にみた計測データの平均値を比較することで、過去の長期的なデータからみた現在の短期的データの傾向を分析することができる。
【００４２】
アラーム条件（ｄ）では、計測時間（例えば、１か月間）における計測データのグラフを複数用いて、これらのグラフの平均線を作成して、計測データと過去の計測データの平均線との差が閾値を超えた場合にアラーム条件が満たされ、計測データレポートが作成される。計測データと所定の計測期間における複数の計測データの平均線を比較することで、過去の平均的なデータからみた現在のデータの傾向を分析することができる。
【００４３】
＜計測データレポート＞
図６は、本願発明の実施の形態における計測データのレポートの一例を示す図である。図６の計測データレポートは、図５の（ｄ）のアラーム条件に基づいて作成された計測データレポートである。
【００４４】
図６は、Ａ社のＸ事業所における所定の時間に計測された計測データを表示したものである。図６の右欄の上段には、Ａ社のＸ事業所に設置された収集端末＃１−＃５によって収集された計測データがそれらの計測時間とともに表形式で表示され、下段には、アラーム発生時の計測データが計測時間を横軸としてグラフ形式で表示されている。ユーザは、アラーム発生点の前後における計測データの傾向を把握することで、過去の平均的なデータからみた現在のデータの傾向を分析することができる。
【００４５】
計測データのレポートの内容やフォーマットは、ユーザからの要求に応じて適宜設定、変更することが可能である。例えば、ユーザの要求に応じて、アラームが発生した施設の地図情報等も併せて提供するようにしてもよいし、ユーザが作成したテンプレートに基づいてレポートを作成することもできる。さらに、計測データ収集装置の設置場所に、監視カメラを設置し、アラーム発生時の監視カメラのストリーミング映像をユーザ端末に表示するようにしてもよい。
【００４６】
＜計測データレポートの提供処理のシーケンス＞
図７は、本願発明の実施の形態における計測データ管理方法のシーケンスの一例を示す図である。
【００４７】
ユーザ端末は、計測データ収集端末を設置するユーザの施設情報、設置される収集端末の属性情報、収集する計測項目等の情報を含む計測データ収集端末の収集端末情報と、作成したアラーム条件情報を計測データ管理装置に送信する。
【００４８】
計測データ管理装置は、ユーザ端末から受信した計測データ収集端末の収集端末情報およびアラーム条件情報、および計測データ収集端末から受信した計測データ情報を登録する。
【００４９】
計測データ管理装置は、所定のアラーム条件を満たすか否かのアラーム条件の判定を行い、アラームを検出した場合には、レポートを作成するのに必要な計測データを収集して計測データレポートを作成する。作成された計測データレポートは、ユーザ端末に提供され表示される。
【００５０】
＜計測データレポートの提供処理のフローチャート＞
図８は、本願発明の実施の形態における計測データ管理方法のフローチャートの一例を示す図である。
【００５１】
計測データ管理装置は、ユーザ端末から受信した計測データ収集端末の収集端末情報およびアラーム条件情報、および計測データ収集端末から受信した計測データ情報を登録する（Ｓ１−２〜Ｓ１−６）。
【００５２】
計測データ管理装置は、所定のアラーム条件を満たすか否かのアラーム条件の判定を行い、アラームを検出した場合には、レポートを作成するのに必要な計測データを収集して計測データレポートを作成し、ユーザ端末に送信する。（Ｓ１−７〜Ｓ１−１１）。
【００５３】
以上説明したように、本実施の形態における計測データ管理装置では、計測データの短期移動平均線と長期移動平均線が交差したこと、計測データと過去の計測データの平均線との差が閾値を超えたこと等の過去のデータからみた現在のデータの傾向を分析するためのアラーム条件を設定し、アラーム発生時の計測データレポートを作成するように構成したので、計測データの分析に関わる負担を増加させることなく、効率よく計測データを分析することができる。
【産業上の利用可能性】
【００５４】
本願発明は、遠隔に設置された計測データ収集装置において収集された計測データを用いて遠隔地の工場や遠隔地に設置された装置を遠隔監視するシステムに利用することができる。
【符号の説明】
【００５５】
１…遠隔監視システム、１０…計測データ管理装置、１１…中央処理部、１２…情報管理部、１３…計測データレポート作成部、１４…計測データレポート提供部、１５…Ｉ／Ｆ部、１６…記憶部、２０…ユーザ端末、３０…計測データ収集端末、４０…ネットワーク。
【図１】
2020008922.tif 000003
【図２】
2020008922.tif 000004
【図３】
2020008922.tif 000005
【図４】
2020008922.tif 000006
【図５】
2020008922.tif 000007
【図６】
2020008922.tif 000008
【図７】
2020008922.tif 000009
【図８】
2020008922.tif 000010